(57)【要約】【課題】  使用者のニーズに応じて、総裏仕様と、背抜き仕様、半裏仕様、肩裏仕様などの他の裏地仕様とを手軽に変更可能とし、かつ、使用者の着用感を損なうことのない上衣を提供する。【解決手段】  上衣１は、上衣本体２と、その上衣本体２に、スライドファスナーにより着脱可能に取り付けられる取付用裏地体３とを備える。上衣本体２は、その裏面２ａ側に、背抜き仕様の裏地４ａからなる本体裏地部４と、スライドファスナーの一方側の噛合部とを有する。取付用裏地体３は、総裏仕様の裏地５ａからなる取付裏地部５と、スライドファスナーの他方側の噛合部とを有し、その取付裏地部５は、２枚の総裏仕様の裏地５ａ、５ａが直接重なるようにして形成される。上衣本体２に対して取付用裏地体３を着脱することにより、総裏仕様と背抜き仕様とを変更可能とする。【選択図】  図１
0003165193.tif 000002
【実用新案登録請求の範囲】
【請求項１】
上衣本体と、その上衣本体に、スライドファスナーにより着脱可能に取り付けられる取付用裏地体とを備える上衣であって、
前記上衣本体は、その裏面側に、背抜き、半裏、あるいは、肩裏のいずれかの仕様の裏地からなる本体裏地部と、前記スライドファスナーの一方側の噛合部とを有し、
前記取付用裏地体は、総裏仕様の裏地からなる取付裏地部と、前記スライドファスナーの他方側の噛合部とを有し、その取付裏地部は、２枚の前記総裏仕様の裏地が直接重なるようにして形成され、
前記上衣本体に対して前記取付用裏地体を着脱することにより、総裏仕様と、背抜き仕様、半裏仕様、あるいは、肩裏仕様のいずれかの裏地仕様とを変更可能とすることを特徴とする上衣。
【請求項２】
前記一方側の噛合部は、前記上衣本体の前記裏面側の、左前身頃の下方から左肩裏部、首裏部、および右肩裏部を通って右前身頃の下方に至るように連続的に延設され、かつ、
前記他方側の噛合部は、前記取付用裏地体の上縁および左右の側縁に沿うように連続的に延設されることを特徴とする、請求項１に記載の上衣。
【請求項３】
前記上衣本体は、上衿部と、その上衿部から左右の前身頃の下端にかけて延びる見返し部とを有し、それら上衿部および見返し部に沿うようにして、前記一方側の噛合部が連続的に延設されていることを特徴とする、請求項２に記載の上衣。
【請求項４】
前記本体裏地部は、背抜きあるいは半裏の仕様の裏地からなり、かつ、
前記上衣本体に前記取付用裏地体が取り付けられた状態で、前記取付裏地部の下端が、前記本体裏地部の下端を結んでなるラインより上方に位置することを特徴とする、請求項１ないし３のいずれか１項に記載の上衣。
【考案の詳細な説明】
【技術分野】
【０００１】
この考案は、上衣本体と、その上衣本体に着脱可能に取り付けられる取付用裏地体とを備える上衣に関するものである。
【背景技術】
【０００２】
従来、裏地を着脱可能とした上衣として、例えば、図９に示す学生服があった（特許文献１参照）。この学生服１００にあっては、学生服本体１０１にファスナー部１０２が縫着されていた。また、別体からなる総裏仕様の裏地としてのライナー１０３は、ファスナー部１０４が縫着されて、学生服本体１０１のファスナー部１０２に取り付けられるようになっていた。さらに、ライナー１０３の内部には、綿、ウール等の暖房用の素材が入っており、防寒性が高められていた。こうして、この学生服１００は、ライナー１０３を取り付けることで、防寒具の役目を果たす学生服となった。また、教室等に入った場合には、室内温度に合わせて適宜ライナー１０３を取り外すことで、温度調整を簡易に行うことができた。
【先行技術文献】
【特許文献】
【０００３】
【特許文献１】実用新案登録第３０９８８９５号公報
【考案の概要】
【考案が解決しようとする課題】
【０００４】
ところで、上衣の裏地仕様としては、総裏仕様以外にも、例えば、背抜き仕様、半裏仕様、肩裏仕様などの他の裏地仕様が知られている。そこで、裏地を着脱可能とした上衣において、使用者のニーズに応じて、総裏仕様と前記他の裏地仕様とを手軽に変更可能とするものが望まれた。しかしながら、前記の学生服１００にあっては、学生服本体１０１に対してライナー１０３を着脱することはできたものの、使用者のニーズに応じて、総裏仕様と前記他の裏地仕様とを手軽に変更可能とするものではなかった。また、ライナー１０３は、その内部に暖房用の素材が入っているため、ある程度の厚みを有しており、その結果、ライナー１０３を取り付けた学生服１００における、使用者の着用感が損なわれる虞があった。
【０００５】
この考案は、上記した従来の問題点に鑑みてなされたものであり、その目的とするところは、使用者のニーズに応じて、総裏仕様と、背抜き仕様、半裏仕様、肩裏仕様などの他の裏地仕様とを手軽に変更可能とし、かつ、使用者の着用感を損なうことのない上衣を提供することにある。
【課題を解決するための手段】
【０００６】
この考案に係る上衣は、前記目的を達成するために、次の構成からなる。すなわち、
請求項１に記載の考案に係る上衣は、上衣本体と、その上衣本体に、スライドファスナーにより着脱可能に取り付けられる取付用裏地体とを備える。ここで、前記上衣本体は、その裏面側に、背抜き、半裏、あるいは、肩裏のいずれかの仕様の裏地からなる本体裏地部と、前記スライドファスナーの一方側の噛合部とを有する。また、前記取付用裏地体は、総裏仕様の裏地からなる取付裏地部と、前記スライドファスナーの他方側の噛合部とを有し、その取付裏地部は、２枚の前記総裏仕様の裏地が直接重なるようにして形成される。そして、前記上衣本体に対して前記取付用裏地体を着脱することにより、総裏仕様と、背抜き仕様、半裏仕様、あるいは、肩裏仕様のいずれかの裏地仕様とを変更可能とする。ここで、「２枚の前記総裏仕様の裏地が直接重なる」とは、２枚の総裏仕様の裏地が、間に介在物とか詰め物（例えば、綿とか羽毛とかウール等）を介すことなく重なることをいう。
【０００７】
この上衣にあっては、上衣本体が有する一方側の噛合部と、取付用裏地体が有する他方側の噛合部とを噛み合わせることによって、上衣本体に取付用裏地体が取り付けられ、また、それら一方側の噛合部と他方側の噛合部との噛み合わせを解除することによって、上衣本体から取付用裏地体が取り外される。ここで、取付用裏地体は、総裏仕様の裏地からなる取付裏地部を有しており、上衣本体に取付用裏地体が取り付けられると、この上衣は、総裏仕様となる。また、上衣本体は、背抜き、半裏、あるいは、肩裏のいずれかの仕様の裏地からなる本体裏地部を有しており、上衣本体から取付用裏地体が取り外されると、この上衣は、背抜き仕様、半裏仕様、あるいは、肩裏仕様のいずれかの裏地仕様となる。こうして、スライドファスナーによって、上衣本体に対して取付用裏地体を着脱することにより、使用者のニーズに応じて、総裏仕様と、背抜き仕様、半裏仕様、あるいは、肩裏仕様のいずれかの裏地仕様とを手軽に変更することができる。また、取付裏地部は、２枚の総裏仕様の裏地が直接重なるようにして形成されるため、それら２枚の総裏仕様の裏地が介在物とか詰め物（例えば、綿とか羽毛とかウール等）を介して重なるようにして形成される場合に比して、その厚みが低減され、使用者の着用感を損なうことがない。
【０００８】
また、請求項２に記載の考案にかかる上衣のように、請求項１に記載の上衣において、前記一方側の噛合部は、前記上衣本体の前記裏面側の、左前身頃の下方から左肩裏部、首裏部、および右肩裏部を通って右前身頃の下方に至るように連続的に延設され、かつ、前記他方側の噛合部は、前記取付用裏地体の上縁および左右の側縁に沿うように連続的に延設されてもよい。
【０００９】
また、請求項３に記載の考案にかかる上衣のように、請求項２に記載の上衣において、前記上衣本体は、上衿部と、その上衿部から左右の前身頃の下端にかけて延びる見返し部とを有し、それら上衿部および見返し部に沿うようにして、前記一方側の噛合部が連続的に延設されてもよい。
【００１０】
また、請求項４に記載の考案にかかる上衣のように、請求項１ないし３のいずれか１項に記載の上衣において、前記本体裏地部は、背抜きあるいは半裏の仕様の裏地からなり、かつ、前記上衣本体に前記取付用裏地体が取り付けられた状態で、前記取付裏地部の下端が、前記本体裏地部の下端を結んでなるラインより上方に位置してもよい。こうすることで、取付裏地部がその自重によって上衣本体から露出し難くなる。
【考案の効果】
【００１１】
この考案に係る上衣によれば、背抜き、半裏、あるいは、肩裏のいずれかの仕様の裏地からなる本体裏地部を有する上衣本体に対して、総裏仕様の裏地からなる取付裏地部を有する取付用裏地体を、スライドファスナーによって着脱することにより、使用者のニーズに応じて、総裏仕様と、背抜き仕様、半裏仕様、あるいは、肩裏仕様のいずれかの裏地仕様とを手軽に変更することができる。また、取付裏地部は、２枚の総裏仕様の裏地が直接重なるようにして形成されるため、それら２枚の総裏仕様の裏地が介在物とか詰め物（例えば、綿とか羽毛とかウール等）を介して重なるようにして形成される場合に比して、その厚みが低減され、使用者の着用感を損なうことがない。
【図面の簡単な説明】
【００１２】
【図１】この考案の第一の実施の形態の、上衣の裏面側を開いた状態を示す模式図である。
【図２】同じく、上衣本体の裏面側を開いた状態を示す模式図である。
【図３】同じく、取付用裏地体を開いた状態を示す模式図である。
【図４】同じく、図３におけるＢ−Ｂ線による模式的な拡大端面図である。
【図５】同じく、図１におけるＡ部拡大図である。
【図６】同じく、上衣本体に対して取付用裏地体を着脱する状態を示す、図５相当図である。
【図７】この考案の第二の実施の形態の、図２相当図である。
【図８】この考案の第三の実施の形態の、図２相当図である。
【図９】従来の上衣を示す図である。
【考案を実施するための形態】
【００１３】
以下、この考案に係る上衣を実施するための形態を図面に基づいて説明する。
【００１４】
図１〜図６は、本発明の第一の実施の形態を示す。図中符号１は、例えば、スーツ（礼服を含む）の上着とかジャケット等の前開きの上衣であって、上衣本体２と、その上衣本体２に、スライドファスナー１０により着脱可能に取り付けられる取付用裏地体３とを備える。
【００１５】
ここで、前記上衣本体２は、その裏面２ａ側に、背抜き、半裏、あるいは、肩裏のいずれかの仕様の裏地４ａ（図示実施の形態においては、背抜き仕様の裏地４ａ）からなる本体裏地部４と、前記スライドファスナー１０の一方側のファスナーエレメント列である噛合部１０ａとを有する。また、前記取付用裏地体３は、総裏仕様の裏地５ａからなる取付裏地部５と、前記スライドファスナー１０の他方側のファスナーエレメント列である噛合部１０ｂとを有し、その取付裏地部５は、２枚の総裏仕様の裏地５ａ、５ａが直接重なるようにして形成される。そして、上衣本体２に対して取付用裏地体３を着脱することにより、総裏仕様と、背抜き仕様、半裏仕様、あるいは、肩裏仕様のいずれかの裏地仕様（図示実施の形態においては、背抜き仕様）とを変更可能とする。
【００１６】
具体的には、上衣本体２は、左右の前身頃２ｂ、２ｃおよび後身頃２ｄと、上衿部２ｅと、その上衿部２ｅから左右の前身頃２ｂ、２ｃの下端２ｆ、２ｆにかけて延びる見返し部２ｇ、２ｇとを有する（図２参照）。また、上衣本体２は、袖部２ｈ、２ｈを有する。そして、上衣本体２の裏面２ａ側に、背抜き仕様の裏地４ａからなる本体裏地部４が設けられている。詳細には、上衣本体２の裏面２ａ側における、上衿部２ｅおよび見返し部２ｇ、２ｇ、後身頃２ｄの下端２ｉから縦方向の中央より若干上方にかけての部分、ならびに、左右の前身頃２ｂ、２ｃの下端２ｆ、２ｆの近傍部分の、それぞれを除くようにして、裏地４ａが設けられている。ここで、裏地４ａは、例えば、メッシュ素材などからなる。また、裏地４ａは、その裏地４ａを構成する複数の裏地片４ｂ、４ｂが互いに縫着されるようにして形成されている。そして、この裏地４ａが、その外周縁に沿って上衣本体２の裏面２ａに縫着されて（詳細には、裏地４ａの外周縁のうちの、後身頃２ｄの上部側に位置する部分の下縁２ｊを除いて、その外周縁に沿って上衣本体２の裏面２ａに縫着されて）、本体裏地部４が形成されている。また、本体裏地部４には、複数の内ポケット４ｃ、４ｃが設けられている。さらに、上衣本体２に形成された袖ぐり部２ｋ、２ｋの下方には、脇当て部２ｍ、２ｍが、本体裏地部４に重なるようにして設けられている。この脇当て部２ｍは、裏地４ａと同一素材（例えば、メッシュ素材など）で形成されている。なお、符号Ｈは、ボタン孔である。
【００１７】
また、取付用裏地体３は、表裏２枚の総裏仕様の裏地５ａ、５ａ（図示実施の形態においては、同一素材からなる裏地５ａ、５ａ）と、他方側の噛合部１０ｂとで構成されている（図３、図４参照）。すなわち、取付用裏地体３の略全体が、取付裏地部５となっている。ここで、裏地５ａは、例えば、ポリエステル等の合成繊維を用いた、蓄熱保温効果のある蓄熱保温素材などからなる。また、裏地５ａは、その裏地５ａを構成する複数の裏地片５ｂ、５ｂが互いに縫着されるようにして形成されている。そして、前記２枚の裏地５ａ、５ａが直接重ねられるとともに、それらの外周縁に沿うようにして互いに縫着されて、取付裏地部５が形成されている。また、図示実施の形態においては、取付裏地部５に、内ポケット５ｃが設けられている（詳細には、２枚の裏地５ａ、５ａのうちの一の裏地５ａに、内ポケット５ｃが形成されている）。なお、図示実施の形態においては、他方側の噛合部１０ｂに、スライドファスナー１０のスライダー１０ｃが取り付けられているが、このスライダー１０ｃは、一方側の噛合部１０ａに取り付けられていても構わない（図３参照）。
【００１８】
また、一方側の噛合部１０ａは、上衣本体２の裏面２ａ側の、左前身頃２ｂの下方から左肩裏部２ｎ、首裏部２ｐ、および右肩裏部２ｑを通って右前身頃２ｃの下方に至るように（図示実施の形態においては、上衿部２ｅおよび見返し部２ｇ、２ｇに沿うように）連続的に延設され、かつ、他方側の噛合部１０ｂは、取付用裏地体３（図示実施の形態においては、取付裏地部５）の上縁３ａおよび左右の側縁３ｂ、３ｂに沿うように連続的に延設されている（図２、図３および図６参照）。図示実施の形態においては、一方側の噛合部１０ａは、左右の前身頃２ｂ、２ｃの下端２ｆ、２ｆには達しておらず、それら下端２ｆ、２ｆとの間に間隔をあけるようにして設けられている。また、他方側の噛合部１０ｂは、取付裏地部５の、左右の前身頃２ｂ、２ｃに対応位置する部分の下端５ｄ、５ｄには達しておらず、それら下端５ｄ、５ｄとの間に間隔をあけるようにして設けられている。
【００１９】
また、図示実施の形態においては、上衣本体２の裏面２ａ側に、スライドファスナー１０（一方側および他方側の噛合部１０ａ、１０ｂ、ならびにスライダー１０ｃ）を覆い隠すために、スライドファスナー１０（詳細には、一方側の噛合部１０ａ）に沿って、すなわち、上衣本体２の裏面２ａ側の、左前身頃２ｂの下端２ｆから左肩裏部２ｎ、首裏部２ｐ、および右肩裏部２ｑを通って右前身頃２ｃの下端２ｆに至るように連続的に延びる、被覆帯状部２ｒが形成されている（図１、図５および図６参照）。そして、上衣本体２に対して取付用裏地体３を着脱する際には、図６に示すように、被覆帯状部２ｒをめくりながら、一方側の噛合部１０ａと他方側の噛合部１０ｂとを噛み合わせたり、あるいは、その噛み合わせを解除したりすることとなる。なお、図２においては、説明の便宜上、この被覆帯状部２ｒの記載を省略している。
【００２０】
また、この上衣１にあっては、上衣本体２に取付用裏地体３が取り付けられた状態で、取付裏地部５の下端５ｄが、本体裏地部４の下端４ｄを結んでなるラインＬ（詳細には、本体裏地部４の、左右の前身頃２ｂ、２ｃに縫着された部分の下端４ｄ、４ｄを結んでなるラインＬ）より上方に位置する（図１、図２参照）。図示実施の形態においては、取付裏地部５の、左右の前身頃２ｂ、２ｃおよび後身頃２ｄに対応位置する各部分の下端５ｄ、５ｄ、５ｄは、いずれも前記ラインＬの上方に位置している。
【００２１】
次に、以上の構成からなる上衣１の作用効果について説明する。この上衣１にあっては、上衣本体２が有する一方側の噛合部１０ａと、取付用裏地体３が有する他方側の噛合部１０ｂとを噛み合わせることによって、上衣本体２に取付用裏地体３が取り付けられ、また、それら一方側の噛合部１０ａと他方側の噛合部１０ｂとの噛み合わせを解除することによって、上衣本体２から取付用裏地体３が取り外される。ここで、取付用裏地体３は、総裏仕様の裏地５ａからなる取付裏地部５を有しており、上衣本体２に取付用裏地体３が取り付けられると、この上衣１は、総裏仕様となる。また、上衣本体２は、背抜き、半裏、あるいは、肩裏のいずれかの仕様の裏地４ａ（図示実施の形態においては、背抜き仕様の裏地４ａ）からなる本体裏地部４を有しており、上衣本体２から取付用裏地体３が取り外されると、この上衣１は、背抜き仕様、半裏仕様、あるいは、肩裏仕様のいずれかの裏地仕様（図示実施の形態においては、背抜き仕様）となる。こうして、スライドファスナー１０によって、上衣本体２に対して取付用裏地体３を着脱することにより、使用者のニーズに応じて、総裏仕様と、背抜き仕様、半裏仕様、あるいは、肩裏仕様のいずれかの裏地仕様（図示実施の形態においては、背抜き仕様）とを手軽に変更することができる。また、取付裏地部５は、２枚の総裏仕様の裏地５ａ、５ａが直接重なるようにして形成されるため、それら２枚の総裏仕様の裏地５ａ、５ａが介在物とか詰め物（例えば、綿とか羽毛とかウール等）を介して重なるようにして形成される場合に比して、その厚みが低減され、使用者の着用感を損なうことがない。
【００２２】
また、蓄熱保温素材からなる２枚の総裏仕様の裏地５ａ、５ａが直接重なるようにして、取付裏地部５を形成することで、取付裏地部５の厚みを低減しつつ、その取付裏地部５の蓄熱保温効果を高めることができる。
【００２３】
また、一方側の噛合部１０ａは、上衣本体２の裏面２ａ側の、左前身頃２ｂの下方から左肩裏部２ｎ、首裏部２ｐ、および右肩裏部２ｑを通って右前身頃２ｃの下方に至るように（図示実施の形態においては、上衿部２ｅおよび見返し部２ｇ、２ｇに沿うように）連続的に延設され、かつ、他方側の噛合部１０ｂは、取付用裏地体３（図示実施の形態においては、取付裏地部５）の上縁３ａおよび左右の側縁３ｂ、３ｂに沿うように連続的に延設されているため、スライドファスナー１０のスライダー１０ｃをスライド操作することで、上衣本体２に対する取付用裏地体３の着脱を簡単に行うことができる。
【００２４】
また、上衣本体２に取付用裏地体３が取り付けられた状態で、取付裏地部５の下端５ｄが、本体裏地部４の下端４ｄを結んでなるラインＬより上方に位置するため、取付裏地部５がその自重によって上衣本体２から露出し難くなる。
【００２５】
図７は、本発明の第二の実施の形態を示す。この第二の実施の形態においては、前述した第一の実施の形態とは、本体裏地部４の構成が異なるが、他はほぼ同一であり、以下に簡単に説明する。
【００２６】
上衣本体２は、その裏面２ａ側に、半裏仕様の裏地１４ａからなる本体裏地部４と、スライドファスナー１０の一方側のファスナーエレメント列である噛合部１０ａとを有する。具体的には、この半裏仕様の裏地１４ａは、前述した第一の実施の形態の背抜き仕様の裏地４ａに比して、左右の前身頃２ｂ、２ｃの裏地が後身頃２ｄ側から横方向の略中央にかけて切り取られている。また、図示実施の形態においては、裏地１４ａは、例えば、メッシュ素材などからなるとともに、その裏地１４ａを構成する複数の裏地片１４ｂ、１４ｂが互いに縫着されるようにして形成されている。また、一方側の噛合部１０ａは、上衣本体２の裏面２ａ側の、左前身頃２ｂの下方から左肩裏部２ｎ、首裏部２ｐ、および右肩裏部２ｑを通って右前身頃２ｃの下方に至るように（図示実施の形態においては、上衿部２ｅおよび見返し部２ｇ、２ｇに沿うように）連続的に延設されている。なお、この図７においても、図２と同様に、被覆帯状部の記載を省略している。また、この第二の実施の形態においても、前述の第一の実施の形態と同様に、上衣本体２に取付用裏地体３が取り付けられた状態で、取付裏地部５の下端５ｄが、本体裏地部４の下端４ｄを結んでなるラインＬ（詳細には、本体裏地部４の、左右の前身頃２ｂ、２ｃに縫着された部分の下端４ｄ、４ｄを結んでなるラインＬ）より上方に位置することとなる。
【００２７】
そして、この第二の実施の形態における上衣にあっては、スライドファスナー１０によって、上衣本体２に対して取付用裏地体３を着脱することにより、使用者のニーズに応じて、総裏仕様と半裏仕様とを手軽に変更することができる。また、上衣本体２に取付用裏地体３が取り付けられた状態で、取付裏地部５の下端５ｄが、本体裏地部４の下端４ｄを結んでなるラインＬより上方に位置するため、取付裏地部５がその自重によって上衣本体２から露出し難くなる。
【００２８】
図８は、本発明の第三の実施の形態を示す。この第三の実施の形態においては、前述した第一および第二の実施の形態とは、本体裏地部４の構成が異なるが、他はほぼ同一であり、以下に簡単に説明する。
【００２９】
上衣本体２は、その裏面２ａ側に、肩裏仕様の裏地２４ａからなる本体裏地部４と、スライドファスナー１０の一方側のファスナーエレメント列である噛合部１０ａとを有する。具体的には、この肩裏仕様の裏地２４ａは、前述した第二の実施の形態の半裏仕様の裏地１４ａに比して、残された左右の前身頃２ｂ、２ｃの裏地がさらに下半分程が切り取られている。また、図示実施の形態においては、裏地２４ａは、例えば、メッシュ素材などからなるとともに、その裏地２４ａを構成する複数の裏地片２４ｂ、２４ｂが互いに縫着されるようにして形成されている。そして、一方側の噛合部１０ａが、上衣本体２の裏面２ａ側の、左前身頃２ｂの下方から左肩裏部２ｎ、首裏部２ｐ、および右肩裏部２ｑを通って右前身頃２ｃの下方に至るように（図示実施の形態においては、上衿部２ｅおよび見返し部２ｇ、２ｇに沿うように）連続的に延設されている。なお、この図８においても、図２および図７と同様に、被覆帯状部の記載を省略している。
【００３０】
そして、この第三の実施の形態における上衣にあっては、スライドファスナー１０によって、上衣本体２に対して取付用裏地体３を着脱することにより、使用者のニーズに応じて、総裏仕様と肩裏仕様とを手軽に変更することができる。
【００３１】
なお、本考案は、上述した実施の形態に限定されるわけではなく、その他種々の変更が可能である。例えば、上衣１は、その開きをボタンで留めるものでなくても、例えば、スライドファスナー、ホック等の他の形態の留め具によって留めるものであってもよい。
【００３２】
また、一方側の噛合部１０ａは、上衣本体２の裏面２ａ側の、左前身頃２ｂの下方から左肩裏部２ｎ、首裏部２ｐ、および右肩裏部２ｑを通って右前身頃２ｃの下方に至るようにして延設されなくてもよく、例えば、上衣本体２の裏面２ａ側の、左前身頃２ｂの下方から左肩裏部２ｎを通って首裏部２ｐの近傍に至って止まるように延設される、一のファスナーエレメント列である一の噛合部と、上衣本体２の裏面２ａ側の、右前身頃２ｃの下方から右肩裏部２ｑを通って首裏部２ｐの近傍に至って止まるように延設される、他のファスナーエレメント列である他の噛合部とからなる、左右一対の噛合部で構成されるようにしてもよい。この場合、他方側の噛合部１０ｂは、上記した一方側の噛合部に対応するようにして、例えば、取付用裏地体３（図示実施の形態においては、取付裏地部５）の上縁３ａおよび左側の側縁３ｂに沿うように延設される、一のファスナーエレメント列である一の噛合部と、取付用裏地体３（図示実施の形態においては、取付裏地部５）の上縁３ａおよび右側の側縁３ｂに沿うように延設される、他のファスナーエレメント列である他の噛合部とからなる、左右一対の噛合部で構成されることとなる。また、被覆帯状部２ｒは、必ずしも設けられる必要はない。
【００３３】
また、本体裏地部４が背抜きあるいは半裏仕様の裏地からなる場合の上衣１にあっては、上衣本体２に取付用裏地体３が取り付けられた状態で、取付裏地部５の下端５ｄが、本体裏地部４の下端４ｄを結んでなるラインＬより上方に位置していなくてもよく、下端５ｄの一部あるいは全部が、ラインＬと同じ高さ位置あるいはラインＬより下方に位置しても構わない。
【００３４】
なお、図１〜図８は、いずれも模式図であり、本考案の趣旨を逸脱しない範囲において、上衣１における各部の形状（例えば、総裏仕様の裏地５ａ、背抜き仕様の裏地４ａ、半裏仕様の裏地１４ａ、肩裏仕様の裏地２４ａにおける裏地の形状など）を、図示された形状と異なるように形成しても構わないのは勿論である。
【符号の説明】
【００３５】
１      上衣
２      上衣本体
２ａ    上衣本体の裏面
２ｂ    左前身頃
２ｃ    右前身頃
２ｅ    上衿部
２ｆ    左右の前身頃の下端
２ｇ    見返し部
２ｎ    左肩裏部
２ｐ    首裏部
２ｑ    右肩裏部
３      取付用裏地体
３ａ    取付用裏地体の上縁
３ｂ    取付用裏地体の側縁
４      本体裏地部
４ａ    裏地
４ｄ    本体裏地部の下端
５      取付裏地部
５ａ    総裏仕様の裏地
５ｄ    取付裏地部の下端
１０    スライドファスナー
１０ａ  一方側の噛合部
１０ｂ  他方側の噛合部
１４ａ  裏地
２４ａ  裏地
Ｌ      ライン
【図１】
0003165193.tif 000003
【図２】
0003165193.tif 000004
【図３】
0003165193.tif 000005
【図４】
0003165193.tif 000006
【図５】
0003165193.tif 000007
【図６】
0003165193.tif 000008
【図７】
0003165193.tif 000009
【図８】
0003165193.tif 000010
【図９】
0003165193.tif 000011